(57)【特許請求の範囲】
【請求項１】
ファクシミリ本体と、該ファクシミリ本体に対して接続およびその接続状態を解除可能に設けられたハンドスキャナーとからなるファクシミリ装置において、
上記ファクシミリ本体に、上記ハンドスキャナーによって読み取る原稿の搬送制御を行う原稿搬送制御部と、上記ハンドスキャナーのＣＣＤ駆動に必要なクロック信号を発生する駆動クロック発生部と、上記ハンドスキャナーによって読み取られた画像データを二値化処理する読取信号二値化処理部と、上記ハンドスキャナーの装着状態において、上記原稿搬送制御部を制御して原稿の搬送を行わせると共に、上記駆動クロック発生部を制御してクロック信号を発生させて上記ハンドスキャナーを駆動させる主制御部とを備え、
上記ファクシミリ本体は、画像データが記憶される画像記憶装置が接続およびその接続状態を解除可能とされ、
上記駆動クロック発生部は、ファクシミリ本体とハンドスキャナーとの接続が解除され、かつファクシミリ本体と画像記憶装置とが接続されると、上記画像記憶装置に対して、その発生したクロック信号を画像データの転送クロックとして供給し、
上記画像記憶装置は、上記ハンドスキャナーによって読み取られた画像データを記憶すると共に、その記憶した画像データを、上記駆動クロック発生部で発生したクロック信号を転送クロックとしてファクシミリ本体に出力することを特徴とするファクシミリ装置。
【発明の詳細な説明】
【０００１】
【発明の属する技術分野】
本発明は、ハンドスキャナーを用いて画像データの読み取りを行いデータ処理するファクシミリ装置に関する。
【０００２】
【従来の技術】
従来より、一次元イメージセンサーを用いて画像データの読み取りを行いデータ処理する画像処理装置としては、ワープロ、パソコン、ファクシミリ装置等があり、このうちワープロ及びパソコンは、装置本体に接続又は設けられた定置型イメージスキャナーに原稿を装着するか、又は装置本体に接続されたハンドスキャナーによって原稿を走査することによって原稿より画像データを読み取り、その読み取られた画像データに二値化処理等の画像処理を施してディスプレイに表示することにより、ディスプレイに原稿の内容を表示させることができると共に、原稿内容の加工、訂正、保存を行うことができるものであり、又ファクシミリ装置は、装置本体に原稿を装着し、その装着された原稿を自動搬送することによって一次元イメージセンサーによる画像読み取りを行わせ、その一次元イメージセンサーによって読み取られた画像データに画像処理として、二値化処理、符号圧縮処理を施してファクシミリデータに変換した後、変調をかけ電話回線に送出することにより、電話回線によって接続された相手側ファクシミリ装置に任意の原稿を送信することができるものである。
【０００３】
更に、上記のような画像処理装置においては、一次元イメージセンサーを装置本体と所定の有線コードによって接続されている状態で取り外し、その取り外した一次元イメージセンサーをハンドスキャナーとして使用できるようにしたものがあった。
【０００４】
【発明が解決しようとする課題】
ところが、上記従来装置では、ワープロ及びパソコンのように原稿の内容をディスプレイに表示させるためには、原稿を定置型イメージスキャナーに装着するか、又は原稿をハンドスキャナーによって走査しなくてはならず、この定置型イメージスキャナー及びハンドスキャナーはワープロ及びパソコンと接続されることによって動作するものであるから、原稿の内容をワープロ又はパソコンのディスプレイに表示させるためには、結果として原稿をワープロ及びパソコンの近傍にまで持って行かなくてはならず、又ファクシミリ装置においても同様に、原稿を送信するためには、その送信したい原稿をファクシミリの近傍に持って行かなければならず、そのため、ワープロ、パソコン、ファクシミリ装置等の画像処理装置の近傍に持って行くことができないような原稿については、ワープロ及びパソコンにおけるディスプレイ表示、及びファクシミリ装置におけるファクシミリ送信／コピーを行うことができないといった問題点があった。
【０００５】
本発明は、ファクシミリ装置の近傍に原稿を持って行くことなく、その原稿より読み取られる画像データの処理を行うことができるファクシミリ装置を提供することを目的とするものである。
【０００６】
【課題を解決するための手段】
上記目的を達成するために、本発明は、ファクシミリ本体と、該ファクシミリ本体に対して接続およびその接続状態を解除可能に設けられたハンドスキャナーとからなるファクシミリ装置において、
上記ファクシミリ本体に、上記ハンドスキャナーによって読み取る原稿の搬送制御を行う原稿搬送制御部と、上記ハンドスキャナーのＣＣＤ駆動に必要なクロック信号を発生する駆動クロック発生部と、上記ハンドスキャナーによって読み取られた画像データを二値化処理する読取信号二値化処理部と、上記ハンドスキャナーの装着状態において、上記原稿搬送制御部を制御して原稿の搬送を行わせると共に、上記駆動クロック発生部を制御してクロック信号を発生させて上記ハンドスキャナーを駆動させる主制御部とを備え、
上記ファクシミリ本体は、画像データが記憶される画像記憶装置が接続およびその接続状態を解除可能とされ、
上記駆動クロック発生部は、ファクシミリ本体とハンドスキャナーとの接続が解除され、かつファクシミリ本体と画像記憶装置とが接続されると、上記画像記憶装置に対して、その発生したクロック信号を画像データの転送クロックとして供給し、
上記画像記憶装置は、上記ハンドスキャナーによって読み取られた画像データを記憶すると共に、その記憶した画像データを、上記駆動クロック発生部で発生したクロック信号を転送クロックとしてファクシミリ本体に出力することを特徴とするファクシミリ装置である。
【００２０】
【発明の実施の形態】
以下、本発明の実施の形態について図面を参照して詳細に説明する。
【００２１】
図１は本発明の一実施例である画像記憶装置の電気的構成を示すブロック図、図２は同画像記憶装置の構成を示す説明図であり、（ａ）は装置本体の正面を、（ｂ）は装置本体の平面を、（ｃ）は装置本体の側面を、（ｄ）は装置本体の裏面をそれぞれ示すものである。図３は同画像記憶装置が接続されるファクシミリ装置の電気的構成を示す概略機能ブロック図であり、（ａ）はハンドスキャナーを接続した場合、（ｂ）は画像記憶装置を接続した場合をそれぞれ示すものである。図４は同ファクシミリ装置においてハンドスキャナーを接続して装着した状態を示す外観斜視図、図５は同ファクシミリ装置においてハンドスキャナーを接続して取り外した状態を示す外観斜視図、図６は同ファクシミリ装置において画像記憶装置を接続した状態を示す外観斜視図である。図７は画像記憶装置とファクシミリ装置とを接続する信号線の一覧を表す説明図である。
【００２２】
図８は同画像記憶装置における画像読取／保存動作を示すフローチャート、図９は同画像記憶装置における画像転送動作を示すフローチャート、図１０は同ファクシミリ装置における画像転送動作を示すフローチャート、図１１は画像記憶装置とファクシミリ装置とにおけるデータ送受信の制御シーケンスを表す説明図、図１２は画像記憶装置とファクシミリ装置とにおける画像データ送受信のタイミングを示すタイミングチャートである。
【００２３】
図１乃至図６において、１は画像記憶装置を動作するために必要な直流電源を商用電源から得るＡＣアダプター、２は画像記憶装置を動作するために必要な直流電源を有する装置本体に内蔵される電池、３はＡＣアダプター１からの直流電源又は電池２からの直流電源を機器本体に対して供給又は遮断する電源スイッチ、４は電源スイッチ３を介して供給されるＡＣアダプター１、電池２からの直流電源、又は図示しないファクシミリ装置と接続された際において供給される直流電源に基づいて装置本体の各部を動作するシステム電源及びスキャナー用電源を得る電源回路部であり、ＡＣアダプター１と電池が両方接続されているときはＡＣアダプター１からの電源供給となるよう制御すると共に、バッテリーの減電検出を行うことによって電池２の残量検出を行うものである。
【００２４】
５はスキャナーインターフェースを介して接続された図示しないハンドスキャナーによる原稿読取動作の開始を指示すると共に、開始された原稿読取動作を停止を指示するスタート／停止ボタン、６は記憶された画像データの消去を指示する消去ボタン、７は原稿より読み取る際の読取濃度を「濃く」又は「標準」に切り換える濃度切換スイッチ、８は原稿より読み取る際の画質を「文字」又は「写真」に切り換える画質切換スイッチ、９は画像を読み取る際の原稿の原稿サイズを「Ｂ４」、「Ａ４」又は「Ｂ５」に切り換えるサイズ切換スイッチである。
【００２５】
１０はスキャナーインターフェースを介して接続された図示しないハンドスキャナーのロータリエンコーダ部よりの出力信号を整形して同期信号を得るエンコーダ信号整形回路であり、この同期信号ＥＮＣＳＧに応じて１ラインの読み取りが開始される。
【００２６】
１１はスキャナーインターフェースを介して接続された図示しないハンドスキャナーのＣＣＤにて読み取られたアナログビデオ信号をアナログ処理すると共に、当該アナログ処理した信号をＡ／Ｄ変換して６Ｂｉｔのデジタルビデオ信号とする読取アナログ波形整形回路であり、Ａ／Ｄ変換の基準レベル（リファレンス電圧）として、文字モードではピークホールド回路で検出されたビデオ信号のピーク電圧が、写真モードでは固定電圧がＡ／Ｄ変換部に供給される。
【００２７】
１２はメモリーマッパ、割込制御、ハンドスキャナー制御／読取処理、ＬＥＤ制御、スイッチ／キー入力、ＦＡＸＩ／Ｆ制御、データ圧縮支援回路の機能を搭載した信号処理回路であり、シェーディング補正、ＯＲ処理（文字モードのみ）、エッジ強調処理、自動コントラスト処理、及び中間調処理（誤差拡散処理／階調補正／像域分離）等の二値化処理アルゴリズムを組み込むと共に、ＣＣＤ駆動に必要なクロック信号（ライン同期信号FTO／転送クロックF1CLK,F2CLK）を分周してスキャナーインターフェースを介して接続された図示しないハンドスキャナーのＣＣＤに供給するものであり、又読取アナログ波形整形回路１１により供給された６Ｂｉｔのデジタルビデオ信号を二値判定すると共に、当該二値判定したデータをシリアル／パラレル変換するものである。１３は信号処理回路１２における二値化処理に必要なデータを記憶する画像処理用ＳＲＡＭである。
【００２８】
１４は電源のオン／オフ状態を表す電源ＬＥＤ、１５はメモリー残量を表すメモリーＬＥＤ、１６はスキャナーインターフェースを介して接続された図示しないハンドスキャナーによって原稿が読み取られていることを表す読取中ＬＥＤであり、電源ＬＥＤ１４、メモリーＬＥＤ１５、及び読取中ＬＥＤ１６は信号処理回路１２による信号処理状態に基づいて点灯／消灯制御されている。
【００２９】
１７はメモリー管理機能（ＭＭＵ）、ＤＭＡコントローラ（チャンネル０：読取用、チャンネル１：ＦＡＸＩ／Ｆ用）、タイマー、割り込み、外部割り込み、及びＡＳＣＩＯ（チャンネル１のみ使用）のコマンドやり取りに使用するメインＣＰＵ、１８はメインＣＰＵ１７のプログラムを搭載したプログラムＲＯＭ、１９はメインＣＰＵ１７のプログラム用、読取時のバッファ、ファクシミリ装置への転送時のバッファ等に使用される画像バッファ／システム用ＲＡＭ、２０はスキャナーインターフェースを介して接続された図示しないハンドスキャナーによって読み取ったデータを保存する画像格納用フラッシュＲＯＭであり、写真モードで読み取ったデータは生データを、文字モードで読み取ったデータはＭＨ符号圧縮されて保存される。
【００３０】
そして、画像記憶装置は、電源スイッチ３、電源回路４、スタート／停止ボタン５、消去ボタン６、濃度切換スイッチ７、画質切換スイッチ８、サイズ切換スイッチ９、エンコーダ信号整形回路１０、読取アナログ波形整形回路１１、信号処理回路１２、画像処理用ＳＲＡＭ１３、電源ＬＥＤ１２、メモリーＬＥＤ１５、読取中ＬＥＤ１６、メインＣＰＵ１７、プログラムＲＯＭ１８、画像バッファ／システム用ＲＡＭ１９、画像格納用フラッシュＲＯＭ２０によって構成されており、又図２に示すように、正面に、スタート／停止ボタン５、消去ボタン６、電源ＬＥＤ１２、メモリーＬＥＤ１５、及び読取中ＬＥＤ１６が、平面に、図示しないハンドスキャナーが接続されるコネクタが、側面に、図示しないＡＣアダプターが接続されるコネクタ、電源スイッチ３、濃度切換スイッチ７、画質切換スイッチ８、及びサイズ切換スイッチ９が、裏面に、図示しないファクシミリ装置に接続されるプラグが収納される凹部、及び電池３の収納部がそれぞれ設けられている。
【００３１】
２１は図示しない原稿より画像データを読み取るハンドスキャナーであり、ファクシミリ本体に対して所定の接続コードによって接続自在に設けられると共に、ファクシミリ本体の上部に対して着脱自在に設けられており、又このハンドスキャナー２１はファクシミリ本体との接続を解き、その接続コードを上述の画像記憶装置の平面に設けられたコネクタに接続することにより、画像記憶装置のハンドスキャナーとして使用することができるものである。
【００３２】
２２はハンドスキャナー２１によって読み取る原稿の搬送制御を行う原稿搬送制御部、２３はハンドスキャナー２１のＣＣＤ駆動に必要なクロック信号（ライン同期信号ＦＴＯ／転送クロックＦ１ＣＬＫ，Ｆ２ＣＬＫ）を発生する駆動クロック発生部、２４はハンドスキャナー２１によって読み取られた画像データを二値化処理する読取信号二値化処理部である。
【００３３】
２５は図示しない交換機を介して相手側電話機又は相手側ファクシミリ装置に接続される電話回線、２６は電話回線２５の捕捉／開放制御を行うと共に、捕捉した電話回線２５によって接続された相手側電話機又は相手側ファクシミリ装置との通話経路を形成する通信部であり、データ送受信を行う際に必要な変復調を行うモデムを備えている。
【００３４】
２７は読取信号二値化処理部２４によって二値化処理されたデータをＭＨ圧縮する一方、通信部２６によって受信された相手側ファクシミリ装置からの画像データを伸長する圧縮伸長処理部、２８は圧縮伸長処理部２７によって伸長した画像データに基づく画像を所定の用紙に印刷する記録部、２９は相手側電話番号及び選択画像番号等の入力を行う数字ボタン、及びファクシミリ送信指示、ファクシミリ受信指示、コピー指示等を行う機能キー等からなる操作部、３０は操作部２９からの指示に基づいて各部を制御する主制御部であり、上記ハンドスキャナー２１、原稿搬送制御部２２、駆動クロック発生部２３、読取信号二値化処理部２４、通信部２６、圧縮伸長処理部２７、記録部２８、操作部２９、及び主制御部３０によってファクシミリ装置が構成されている。
【００３５】
そして、このように構成されたファクシミリ装置は、図４に示すように、ハンドスキャナー２１の装着状態においては、原稿を所定の位置にセットすることにより、そのセットされた原稿が原稿搬送制御部２２による搬送制御によって所定のスピードにより所定の位置に搬送され、ハンドスキャナー２１がその搬送される原稿より画像データを読み取り、読取信号二値化処理部２４がそのハンドスキャナー２１によって読み取られた画像データを二値化処理することにより、原稿より読み取った画像データをファクシミリデータとすることができ、又図５に示すように、ハンドスキャナー２１をファクシミリ本体に対して取り外した状態においては、当該ハンドスキャナー２１によって原稿の上を走査することによって原稿より画像データを読み取り、その読み取った画像データを読取信号二値化処理部２４によって二値化処理することによってファクシミリデータとすることができる。
【００３６】
更に、図６に示すように、ファクシミリ装置を構成するハンドスキャナー２１に代えて画像記憶装置を所定の有線コードによってファクシミリ本体に接続すると、ファクシミリ装置を構成する駆動クロック発生部２３によって発生した駆動クロックは、転送クロックとして画像記憶装置を構成する信号処理回路１２に入力される一方、画像記憶装置を構成する信号処理回路１２から出力されるデータは、ハンドスキャナー２１によって読み取られた画像データとして読取信号二値化処理部２４に入力される。尚、このときの画像データの転送動作については後述する。
【００３７】
上記のように構成された画像記憶装置について、所定の用紙より画像データを読み込むときの回路動作について説明する。
【００３８】
画像記憶装置にＡＣアダプタ１を接続するか、又は電池２を装着した後、画像記憶装置の側面に設けられた電源スイッチ３のオン操作を行うことによって画像記憶装置が使用可能となり、この状態においてファクシミリ装置を構成するハンドスキャナー２１とファクシミリ本体との接続を解き、そのハンドスキャナー２１の接続コードを画像記憶装置の平面に設けられたコネクタに接続すると共に、画像記憶装置の正面に設けられたスタート／停止ボタン５を操作する（ステップＦ１）ことによって画像読取動作に移行する。
【００３９】
尚、このとき、画像記憶装置の側面に設けられた濃度切換スイッチ７、画質切換スイッチ８、及びサイズ切換スイッチ９の状態に応じて信号処理回路１２における各種パラメータが設定されると共に、その設定された各種パラメータは属性データとして後述する画像データが保存される画像格納用フラッシュＲＯＭに当該画像データに対応されて保存される。
【００４０】
そして、スタート／停止ボタン５の操作に基づく画像読取動作において、ユーザーが図示しない所定の原稿の上でハンドスキャナー２１を動かして原稿を走査すると、読取スピードに応じてハンドスキャナー２１のロータリーエンコーダ部より信号が出力される。
【００４１】
そして、このハンドスキャナー２１より出力された信号はスキャナーインターフェースを介してエンコーダ信号整形回路１０に入力され、ここで同期信号として整形されると共に、その整形された同期信号が信号処理回路１２に入力され、この同期信号（ＥＮＣＳＧ）に応じて１ラインの読み取りが開始される（ステップＦ２）。
【００４２】
そして、読取処理がスタートすると、ハンドスキャナー２１のＣＣＤによって読み取られ出力されたアナログ信号はスキャナーインターフェースを介して読取アナログ波形整形回路１１において６Ｂｉｔのデジタル信号となり（ステップＦ３）、更に信号処理回路１２によって二値化され（ステップＦ４）、その二値化されたデータはメインＣＰＵ１７のＤＭＡコントローラによって画像バッファ／システム用ＲＡＭ１９に画像生データとして転送される（ステップＦ５）。
【００４３】
ここで、画像読取動作移行時における画質切換スイッチ８の状態によって信号処理回路１２が写真モードに設定されている場合（ステップＦ６）は、画像バッファ／システム用ＲＡＭに転送された生データがそのまま画像データとして画像格納用フラッシュＲＯＭ２０に保存され（ステップＦ８）、又画像読取動作移行時における画質切換スイッチ８の状態によって信号処理回路１２が文字モードに設定されている場合（ステップＦ６）は、画像バッファ／システム用ＲＡＭに転送された生データをメインＣＰＵ１７によりＭＨ符号圧縮した後（ステップＦ７）、画像格納用フラッシュＲＯＭ２０に保存される（ステップＦ８）。
【００４４】
そして、上記画像読取／保存動作は読取スピードに応じてハンドスキャナー２１のロータリーエンコーダ部より出力され、エンコーダ信号整形回路１０によって整形される同期信号が検出される度（ステップＦ９）に行われ、又この同期信号が所定時間（例えば１０秒）以上検出されないとき（ステップＦ１０）、画像格納用フラッシュＲＯＭ２０の容量がいっぱいになったとき（ステップＦ１１）、及び画像記憶装置の正面に設けられたスタート／停止キーが再度操作されたとき（ステップＦ１２）、画像読取／保存動作が終了する。
【００４５】
従って、上記のような動作制御によれば、ハンドスキャナー２１によって所定の用紙より読み取った画像データを二値化して保存することができ、又このとき、画像データを保存するメモリとしてフラッシュＲＯＭを用いることにより、装置の電源をオフにし、各部に電源供給を行わない状態においてもデータ保存を行うことができる。
【００４６】
尚、画像格納用フラッシュＲＯＭ２０に保存された画像データを消去するには消去操作を行わなければならず、この消去操作とは、画像記憶装置の正面に設けられた消去キーを操作することによって行われ、消去キーの操作に応じてメインＣＰＵ１７のＤＭＡコントローラが画像格納用フラッシュＲＯＭ２０に保存された画像データを順次消去する。このとき、取込ページ単位で画像データを消去すると共に、そのページを指定できるようにすることが望ましい。
【００４７】
次に、ファクシミリ装置に対してデータ転送を行うときの回路動作について説明する。
【００４８】
ファクシミリ装置を構成するハンドスキャナー２１とファクシミリ本体との接続を解き、その接続が解かれたスキャナーインターフェース部に、画像記憶装置のモジュラーケーブルを接続すると、図３（ｂ）に示すように、駆動クロック発生部２３から発生する駆動クロックが画像記憶装置に入力されると共に、画像記憶装置から出力される画像データが讀取信号二値化処理部２４に供給される。
【００４９】
そして、このようにして画像記憶装置とファクシミリ装置とをモジュラーケーブルによって接続すると、画像記憶装置とファクシミリ装置とが図７に示すように「ＶＩＤＥＯ」、「φ１」、「φＴ」、「ＴｘＡ」、「ＲｘＡ」、「＋５Ｖ」、及び「ＧＮＤ」の信号線によって接続されることになり、このうち「φ１」と「φＴ」の信号線によってファクシミリ装置からの画素クロック信号とライン同期信号が画像記憶装置に供給されると共に、「＋５Ｖ」と「ＧＮＤ」の信号線によってファクシミリ装置から画像記憶装置に対して電源が供給され、又「ＶＩＤＥＯ」の信号線によって画像記憶装置においてアナログ信号に変換されたビデオ信号がファクシミリ装置に供給され、更に「ＴｘＡ」と「ＲｘＡ」の信号線によってファクシミリ装置と画像記憶装置の双方向にコマンド信号を送受信することができ、このコマンド信号は調歩同期方式のシリアル信号として送受信される。
【００５０】
尚、この信号線のうち、「ＴｘＡ」及び「ＲｘＡ」の信号線を除く他の信号線「ＶＩＤＥＯ」、「φ１」、「φＴ」、「＋５Ｖ」、及び「ＧＮＤ」はハンドスキャナー２１接続時と同じものを使用することができ、又「＋５Ｖ」と「ＧＮＤ」の信号線によってファクシミリ装置から画像記憶装置に対して電源が供給され、それに伴って画像記憶装置に装着した電池２からの電源供給を停止することにより、電池２の消耗を防止している。
【００５１】
更に、「ＲｘＡ」の信号線をファクシミリ装置内において図示しない抵抗器を介してグランド（０Ｖ）に接続する一方、画像記憶装置において「ＲｘＡ」の信号線にコマンド信号の送出中を除いてハイレベル（＋５Ｖ）の信号を出力することにより、ファクシミリ装置において、画像記憶装置を接続していない状態における「ＲｘＡ」の信号線からの信号をグランドレベルとして検知すると共に、画像記憶装置を接続したときにおける「ＲｘＡ」の信号線からの信号をハイレベルとして検知することができる。
【００５２】
そして、ファクシミリ装置の主制御部３０においては「ＲｘＡ」の信号線の信号レベルを一定の周期をもって常時監視し、その信号レベルがグランドレベルからハイレベルに変化したことを検知する（ステップＦ４１）と、画像記憶装置が接続されたと判断して「ＴｘＡ」の信号線を通してメモリ内の画像枚数を要求するＩＤ要求コマンドを出力する（ステップＦ４２）。
【００５３】
そして、この「ＴｘＡ」の信号線を通して出力されたＩＤ要求コマンドが画像記憶装置において受信される（ステップＦ２１）と、メインＣＰＵ１７において画像格納用フラッシュＲＯＭ２０に取り込まれている画像枚数をパラメータとしたＩＤ通知コマンドを「ＲｘＡ」の信号線を通じて出力する（ステップＦ２２）。
【００５４】
そして、この「ＲｘＡ」の信号線を通じて出力されたＩＤ通知コマンドがファクシミリ装置において受信される（ステップＦ４３）ことにより、ファクシミリ装置の主制御部３０において画像記憶装置の接続及び何画面の画像が取り込まれているを確認することができ、それに伴って確認された所定のデータを主制御部３０において取り込む（ステップＦ４４）と共に、画像記憶装置に格納されたシェーディングデータ（二値、中間調の合計４０９６バイト）のＳＵＭ値（二値及び中間調シェーディングデータのＳＵＭとする）を要求するシェーディングサム要求コマンドを「ＴｘＡ」の信号線を通して出力する（ステップＦ４５）。
【００５５】
そして、この「ＴｘＡ」の信号線を通して出力されたシェーディングサム要求コマンドが画像記憶装置において受信される（ステップＦ２３）と、メインＣＰＵ１７において格納されたシェーディングデータのＳＵＭ値をパラメータとしたシェーディングサム通知コマンドを「ＲｘＡ」の信号線を通じて出力する（ステップＦ２４）。
【００５６】
尚、このシェーディングデータとは、基準原稿読取信号と比較して補正を行うことにより、ハンドスキャナー２１においてレンズで光学的に縮小して原稿を読み取ったとき、中央部に比べ周辺部の光量が少なくなり均一な出力が得られないといった問題点を解決するシェーディング補正の基準値となるものであり、「ＲｘＡ」の信号線を通じて出力されたシェーディングサム通知コマンドがファクシミリ装置において受信される（ステップＦ４６）と、ファクシミリ装置の主制御部３０において画像記憶装置のシェーディングサム値と比較され（ステップＦ４７）、不一致の場合、画像記憶装置に格納されたシェーディングデータを要求するシェーディング通知コマンドを「ＴｘＡ」の信号線を通して出力する（ステップＦ４８）。
【００５７】
このようにして、ファクシミリ装置と画像記憶装置とにおける接続確認が行われ、正常に接続確認でき、ファクシミリ装置の液晶ディスプレイ等にオプションモードと表示された状態において、使用者がファクシミリ装置の操作部２９を操作して送信すべき画像のページ番号を指定する（ステップＦ４９）と、主制御部３０がその指定された画像のページ番号を記憶する（ステップＦ５０）。
【００５８】
そして、使用者の操作によって送信すべき画像のページ指定を行った後、使用者における操作部２９の操作によって発呼操作を行う（ステップＦ５１）と、その発呼操作に応答して主制御部３０が通信部２６を制御し、電話回線２５の直流閉結を行うと共に、その直流閉結した電話回線２５に対して入力された電話番号をダイヤルパルス又はＤＴＭＦ信号によって送出する（ステップＦ５２）。
【００５９】
それに伴って、電話回線２５に接続された交換機がこれを検知して指定された相手を呼び出し、相手ファクシミリ装置が応答したとき電話回線２５を介して使用者ファクシミリ装置と相手ファクシミリ装置とを接続し、このようにして使用者ファクシミリ装置と相手ファクシミリ装置とが接続されると、相手ファクシミリ装置（受信側）からファクシミリ信号（ＣＥＤ−ＤＩＳ信号等）が送出され、このファクシミリ信号が使用者ファクシミリ装置（発呼側）の通信部２６に設けられた図示しないスピーカより音声信号として放音されることにより、使用者において相手と通信接続されたことを確認することができる（ステップＦ５３）。
【００６０】
そして、使用者において相手ファクシミリ装置との通信接続が成されたことが確認された後、操作部２９の操作によって通信開始指示操作を行う（ステップＦ５４）と、主制御部３０がその通信開始指示操作に基づいて予め記憶したページ番号をパラメータで指定した属性要求コマンドを「ＴｘＡ」の信号線を通じて画像記憶装置に出力する（ステップＦ５５）。尚、この属性要求コマンドとは、画像記憶装置に対してその指定したページ番号の画像データの属性情報を要求するものである。
【００６１】
そして、この「ＴｘＡ」の信号線を通して出力された属性要求コマンドが画像記憶装置において受信される（ステップＦ２５）と、メインＣＰＵ１７において属性要求コマンドによって指定されたページ番号の画像データを読み取った際における読取モード、原稿幅、及び解像度等をパラメータとした属性通知コマンドを「ＲｘＡ」の信号線を通じて出力する（ステップＦ２６）。
【００６２】
そして、この「ＲｘＡ」の信号線を通じて出力された属性通知コマンドがファクシミリ装置において受信される（ステップＦ５６）ことにより、ファクシミリ装置の主制御部３０において送信指定したページ番号の画像データを記憶した際の読取モード、原稿幅、及び解像度等を確認することができ、それに伴って主制御部３０が各部の初期設定を行う（ステップＦ５７）と共に、属性要求コマンドによって指定したページ番号をパラメータとして画像データ出力を要求する出力要求コマンドを「ＴｘＡ」の信号線を通して出力する（ステップＦ５８）。
【００６３】
そして、「ＴｘＡ」の信号線を通じて転送開始コマンドを出力した後、「ＲｘＡ」よりの信号が変化（Ｌ→Ｈ）したとき（ステップＦ５９）、主制御部３０が「φ１」と「φＴ」の信号線を通じて画素クロック及びライン同期信号を出力させる（ステップＦ６２、Ｆ６３）。
【００６４】
尚、画像記憶装置においては、「φＴ」の信号線を通じて出力されるライン同期信号を検出し、これに同期してライン毎に画像信号転送を開始するようにしているため、画素クロックは「φ１」の信号線を通じて常時出力するようにしても良い。
【００６５】
一方、画像記憶装置においては、「ＴｘＡ」の信号線を通じて出力された出力要求コマンドが受信される（ステップＦ２７）と、メインＣＰＵ１７がその受信された出力要求コマンドに基づいて指定されたページ番号を認識し、その認識されたページ番号の画像データに対応する属性データに基づいて当該画像データが文字モードによって保存されていると判断された場合（ステップＦ２８）は、当該ページ番号の画像データを画像格納用フラッシュＲＯＭ２０から読み出して生データに展開し（ステップＦ２９）、画像バッファ／システム用ＲＡＭ１９に転送し（ステップＦ３０）、又写真モードによって保存されていると判断された場合（ステップＦ２８）は、当該ページ番号の画像データを画像格納用フラッシュＲＯＭ２０から読み出し、そのまま画像バッファ／システム用ＲＡＭ１９に転送する（ステップＦ３０）。
【００６６】
そして、画像バッファ／システム用ＲＡＭ１９に１ライン分のデータが用意できたとき（ステップＦ３１）、「ＲｘＡ」の信号線よりの信号を変化（Ｌ→Ｈ）させ（ステップＦ３２）、それに伴ってファクシミリ装置より「φＴ」の信号線を通じて出力されたライン同期信号が信号処理回路１２及びメインＣＰＵ１７によって検出されたとき（ステップＦ３３）、「ＲｘＡ」の信号線よりの信号を再び変化（Ｈ→Ｌ）させる（ステップＦ３４）と共に、画像バッファ／システム用ＲＡＭ１９に転送された１ライン分のデータをメインＣＰＵ１９のＤＭＡコントローラによって信号処理回路１２に転送することにより、信号処理回路１２において「φ１」の信号線を通じて出力される画素クロックに同期して”１”、”０”のデジタル信号としてシリアル変換した後、アナログ信号（黒：４．５Ｖ、白：黒基準レベル−０．４５Ｖ）に変換して（ステップＦ３５）「ＶＩＤＥＯ」の信号線を通じてファクシミリ装置に出力する（ステップＦ３６）。
【００６７】
尚、画像バッファ／システム用ＲＡＭ１９に１ライン分のデータが用意できないときにおいては（ステップＦ３１）、「ＲｘＡ」の信号線よりの信号が変化しないため、ファクシミリ装置より「φＴ」の信号線を通じて出力されず、それに伴って画像データの出力中断を行うことができる。
【００６８】
他方、ファクシミリ装置においては、「ＶＩＤＥＯ」の信号線を通じて出力された１ライン分の画像データを読取信号二値化処理部２４を介して圧縮伸長処理部２７に入力し、ここでＭＨ符号等のファクシミリ符号信号に変換した後、その変換したファクシミリ符号信号を通信部２６を通じて電話回線２５上に送信することにより、ファクシミリ送信動作が行われる。
【００６９】
そして、このようなデータ転送動作／ファクシミリ送信動作により、１ページ分の画像データの最終ラインデータが転送されて送信が終了する（ステップＦ６４）と、主制御部３０が画像データ出力を中止させる出力終了コマンドを「ＴｘＡ」の信号線を通して出力する（ステップＦ６５）と共に、主制御部３０において予め記憶された送信ページが有るか確認し（ステップＦ６６）、次ページが有ると判断されたとき、その次ページの送信ページ番号をパラメータで指定した属性要求コマンドを「ＴｘＡ」の信号線を通じて画像記憶装置に出力する（ステップＦ５４）といった前述の動作を繰り返し、又次ページが無いと判断されたとき、主制御部３０が所定の通信プロトコルによって通信終了動作を行い（ステップＦ６７）、ファクシミリ送信動作を終了し、他方画像記憶装置においては、「ＴｘＡ」の信号線を通じて出力された出力終了コマンドを受信する（ステップＦ３７）ことにより、画像データ出力動作が終了する。
【００７０】
ところで、ファクシミリ送信動作において、通常Ｇ３ファクシミリ通信と呼ばれるモードでは、複雑な画像ほど伝送時間が多くかかるという傾向があり、例えば、Ａ４幅で全白の走査線１本分、１７２８画素の画像をＩＴＵ−Ｔの勧告Ｔ４で規定された標準の一次元符号化方式で符号化すると、「０１００１１０１１００１１０１０１０００００００００００１」という２９ビットの符号データとなり、この符号データを９６００ビット／秒の伝送速度で送信すると、約３ミリ秒で伝送することができ、又白と黒が１画素毎に交互に現れる画像では、Ａ４幅の走査線１本分の符号データが７７８８ビットとなり、伝送に約８１１ミリ秒かかることとなる。
【００７１】
そのため、画像記憶装置から転送される画像データをファクシミリ送信する場合において、画像記憶装置に取り込まれた画像が白黒変化点の少ない簡単なものであれば、ファクシミリ符号の量は少なく、ビデオ信号変換装置から入力されてくる速度よりも速く送信することができるが、誤差拡散法等の疑似中間調モードで二値化処理すると白黒変化点が多くなり、１ラインあたりのファクシミリ符号量も多くなって送信に時間がかかり、送信バッファオーバーフローが発生するため、画像記憶装置からの画像データの転送を一時中断する必要が有る。
【００７２】
そこで、ファクシミリ装置においては、主制御部３０において送信ファクシミリ符号の残量を監視し（ステップＦ６０）、その送信ファクシミリ符号の残量に基づいて画像データの入力を中断する必要が有ると判断した場合（ステップＦ６１）において、主制御部３０がライン同期信号を出力させないように制御する一方、画像記憶装置においては、ファクシミリ装置から出力されるライン同期信号の検出に基づいて１ラインの画像転送を行っていることから、このライン同期信号が検出されない間は次のラインの画像転送を開始せず、それに伴って画像データの入力の中断を行うことができる。
【００７３】
尚、ライン同期信号の出力を一時休止して画像データ転送を中断させる代わりに、ファクシミリ装置に１画面分の画像データを記憶するメモリを設け、当該メモリに画像データ転送されたデータを格納させることにより、画像データ転送を中断無く実行させることによっても送信バッファオーバーフローを防止することができる。
【００７４】
従って、上記動作制御によれば、使用者において所望の画像を保存した画像記憶装置をファクシミリ装置に接続し、所定の発呼操作を行うことによって、画像記憶装置に保存した画像データをファクシミリデータに変換して相手ファクシミリ装置に送信することができ、又このとき、ファクシミリデータに変換する装置部分として従来からあるものを用い、且つハンドスキャナー２１によって読み取られた画像データをファクシミリデータに変換する装置部分と共通にすることができ、更に画像記憶装置をハンドスキャナー２１の接続部に接続することができる。
【００７５】
尚、画像記憶装置によって取り込まれた画像を相手ファクシミリ装置に送信するとき、各送信ページ毎に、主制御部３０が内蔵する時計からその時の日付時刻情報を読み出して送信ページ番号とともに文字パターンに変換し、入力ビデオ信号を二値化した画像データに付加してファクシミリ符号化して送信することにより、通常ファクシミリ装置において原稿読取画像の上部に付加される発信日時と発信者名等を示すための発信元情報を、画像記憶装置によって取り込まれた画像の送信時に付加するようにしても良い。
【００７６】
次に、上記動作制御によって、メモリ部５に格納された画像データに基づいてコピーを行う際の動作制御について説明する。
【００７７】
前述のファクシミリ送信動作時と同様にして、画像記憶装置とファクシミリ装置とをモジュラーケーブルによって接続した後、ファクシミリ装置においてコピーしたい画像のページ番号を指定すると共に、コピー出力操作をすると、初期設定動作が行われた後、ファクシミリ装置より指定されたページ番号をパラメータで指定したコマンドが出力されると共に、画素クロック及びライン同期信号が出力される。
【００７８】
一方、画像記憶装置においてそのライン同期信号が検出されると、画像記憶装置のメモリＣＰＵ１７が出力要求コマンドで指定されたページ番号の画像データを画像格納用フラッシュＲＯＭから順次画像バッファ／システム用ＲＡＭ１９に転送し、１ライン分の画像データが転送されたとき、信号処理回路１２において「φ１」の信号線を通じて出力される画素クロックに同期してデジタル信号としてシリアル変換した後、アナログ信号に変換して「ＶＩＤＥＯ」の信号線を通じてファクシミリ装置の読取信号二値化処理部２４に出力する。
【００７９】
そして、ファクシミリ装置では、その入力された画像データを読取信号二値化処理部２４及び圧縮伸長処理部２７を介して記録部２８に送出し、記録部２８がその入力データに基づく画像を所定の用紙にプリントアウトする。
【００８０】
尚、このプリントアウト時、記録出力の速度は一定であり、プリントアウトの途中でライン同期信号を中断して転送を止めるといった制御を行う必要は無い。ところが、このような転送の中断・再開の制御はファクシミリ装置が行うため、画像記憶装置においては送信／コピーを識別する必要は無く、ファクシミリ装置から送られてくるコマンドと同期信号にしたがって画像データを出力すれば良い。
【００８１】
従って、上記動作制御によれば、使用者において所望の映像をメモリ部５に格納した画像記憶装置をファクシミリ装置に接続し、所定のコピー操作を行うことによって、画像記憶装置のメモリ部５に格納した映像に基づく画像データを所定の用紙にプリントアウトすることができ、又このとき、コピーデータに変換する装置部分として従来からあるものを用い、且つ一次元イメージセンサー２１によって読み取られた画像データをコピーデータに変換する装置部分と共通にすることができる。
【００８２】
尚、このようなコピー動作時においても、前述のファクシミリ送信動作時と同様に、主制御部３０が内蔵する時計からその時の日付時刻情報を読み出して送信ページ番号とともに文字パターンに変換し、入力ビデオ信号を二値化した画像データに付加してプリントアウトすることにより、プリントアウトされた用紙の整理を確実に行わせることができる。
【００８３】
又、このようなコピー動作をファクシミリ送信動作に組み込むようにしても良い。即ち、コピーで画像記憶装置に取り込まれている画像を確認した後、送信画面番号（コピー画面番号）を変更することなく、電話をかけ送信開始指示操作をすることにより、コピー出力と同じ画像が同じ順番で送信させることができる。尚、同じ画像を複数の相手に送る場合も同様に、送信画面番号を変更することなく順次送信操作をするようにすれば良い。
【００８４】
尚、本実施例においては、画像処理装置をファクシミリ装置として説明したが、これに限定するものではなく、例えば画像処理装置をワープロ又はパソコンとし、ハンドキャリーパック（画像記憶装置）において原稿より読み取って記憶した画像データに基づいてディスプレイに読み取った原稿の内容を表示させ、原稿内容の加工、訂正、保存を行うことができるようにしても良い。
【００８５】
【発明の効果】
以上のように、本発明によれば、ファクシミリ本体は画像データが記憶される画像記憶装置が接続およびその接続状態を解除可能とされ、駆動クロック発生部は、ファクシミリ本体とハンドスキャナーとの接続が解除され、かつファクシミリ本体と画像記憶装置とが接続されると、画像記憶装置に対して、その発生したクロック信号を画像データの転送クロックとして供給し、画像記憶装置は、ハンドスキャナーによって読み取られた画像データを記憶すると共に、その記憶した画像データを、上記駆動クロック発生部で発生したクロック信号を転送クロックとしてファクシミリ本体に出力するので、ハンドスキャナーによって読み取られた画像データをファクシミリ装置によって処理する際、ハンドスキャナーによって読み取る原稿をファクシミリ装置の近傍にもって行く必要がなく、例えばファクシミリ装置の近傍にもって行くことができないような原稿においてもファクシミリ装置によって処理することができ、又取り込んだ画像データにおいてハンドスキャナーを駆動する際に用いる駆動クロックに同期して出力することにより、画像記憶装置において取り込んだ画像データを任意のファクシミリ装置にハンドスキャナーにより読み取られた画像データとして転送することができる。
【図面の簡単な説明】
【図１】本発明の一実施例である画像記憶装置の電気的構成を示すブロック図。
【図２】同画像記憶装置の外観を示す説明図。
【図３】同画像記憶装置が接続されるファクシミリ装置の電気的構成を示す概略機能ブロック図。
【図４】同ファクシミリ装置においてハンドスキャナーを接続して装着した状態を示す外観斜視図。
【図５】同ファクシミリ装置においてハンドスキャナーを接続して取り外した状態を示す外観斜視図。
【図６】同ファクシミリ装置において画像記憶装置を接続した状態を示す外観斜視図。
【図７】画像記憶装置とファクシミリ装置とを接続する信号線の一覧を表す説明図。
【図８】同画像記憶装置における画像読取／保存動作を示すフローチャート。
【図９】同画像記憶装置における画像転送動作を示すフローチャート。
【図１０】同ファクシミリ装置における画像転送動作を示すフローチャート。
【図１１】画像記憶装置とファクシミリ装置とにおけるデータ送受信の制御シーケンスを表す説明図。
【図１２】画像記憶装置とファクシミリ装置とにおける画像データ送受信のタイミングを示すタイミングチャート。
【符号の説明】
１    ＡＣアダプター
２    電池
３    電源スイッチ
４    電源回路部
５    スタート／停止キー
６    消去キー
７    濃度切換スイッチ
８    画質切換スイッチ
９    サイズ切換スイッチ
１０    エンコーダ信号整形回路
１１    読取アナログ波形整形回路
１２    信号処理回路
１３    画像処理用ＳＲＡＭ
１４    電源ＬＥＤ
１５    メモリーＬＥＤ
１６    読取中ＬＥＤ
１７    メインＣＰＵ
１８    プログラムＲＯＭ
１９    画像バッファ／システム用ＲＡＭ
２０    画像格納用フラッシュＲＯＭ
【図１】
0003603066.tif 000002
【図２】
0003603066.tif 000003
【図３】
0003603066.tif 000004
【図４】
0003603066.tif 000005
【図５】
0003603066.tif 000006
【図６】
0003603066.tif 000007
【図７】
0003603066.tif 000008
【図８】
0003603066.tif 000009
【図９】
0003603066.tif 000010
【図１０】
0003603066.tif 000011
【図１１】
0003603066.tif 000012
【図１２】
0003603066.tif 000013